(57)【要約】【課題】決済カード会社にも利用者にも煩雑な手続き、作業を要求することなく、決済情報を本人のみが安全に携帯電話に格納することができるようにする。【解決手段】店頭に設置される決済情報処理装置と、利用者が所有する携帯端末と、決済カード会社が保有または認定する決済実行装置とから決済システムを構成する。決済情報格納時には、決済情報処理装置は、決済情報読取部により決済カードの決済情報を読み取り、決済情報暗号化部により暗号化し、決済情報送受信部により携帯端末に送信し、携帯端末は、決済情報送受信部により決済情報を受信して決済情報格納部に格納する。決済時には、携帯端末は、決済情報を決済情報格納部から読み出して決済情報送受信部により決済情報処理装置に送信し、決済情報処理装置は、決済情報送受信部により決済情報を受信し、決済情報復号化部により復号化し、決済情報実行送信部により決済実行装置へ送信する。【選択図】    図１
2004199405.tif 000002
【特許請求の範囲】
【請求項１】
店頭に設置される決済情報処理装置と、利用者が所有する携帯端末と、決済カード会社が保有または認定する決済実行装置とからなる決済システムであって、
前記決済情報処理装置は、
決済カード会社が利用者に発行した決済カードに記録されている決済情報を読み取る決済情報読取部と、
前記決済情報読取部で読み取った前記決済情報を暗号化して暗号化決済情報を得る決済情報暗号化部と、
前記決済情報暗号化部で得た前記暗号化決済情報を前記携帯端末に送信するとともに、前記携帯端末から前記暗号化決済情報を受信する第１の決済情報送受信部と、
前記第１の決済情報送受信部で受信した前記暗号化決済情報を復号化して前記決済情報を得る決済情報復号化部と、
前記決済情報復号化部で得た前記決済情報を前記決済実行装置へ送信する決済情報実行送信部とを備え、
前記携帯端末は、
前記暗号化決済情報を格納する決済情報格納部と、
前記第１の決済情報送受信部で送信した前記暗号化決済情報を受信するとともに、前記決済情報格納部から前記暗号化決済情報を読み出して前記第１の決済情報送受信部に送信する第２の決済情報送受信部とを備えることを特徴とする決済システム。
【請求項２】
店頭に設置され、利用者が所有する携帯端末に決済情報を格納するために使用される決済情報処理装置であって、
決済カード会社が利用者に発行した決済カードに記録された決済情報を読み取る決済情報読取部と、
前記決済情報読取部で読み取った前記決済情報を前記携帯端末に送信するとともに、前記携帯端末から前記決済情報を受信する決済情報送受信部と、
前記決済情報送受信部で受信した前記決済情報を、前記決済カード会社が保有または認定する決済実行装置へ送信する決済情報実行送信部とを備えることを特徴とする決済情報処理装置。
【請求項３】
店頭に設置され、利用者が所有する携帯端末に決済情報を格納するために使用される決済情報処理装置であって、
決済カード会社が利用者に発行した決済カードに記録された決済情報を読み取る決済情報読取部と、
前記決済情報読取部で読み取った前記決済情報を暗号化して暗号化決済情報を得る決済情報暗号化部と、
前記決済情報暗号化部で得た前記暗号化決済情報を前記携帯端末に送信するとともに、前記携帯端末から前記暗号化決済情報を受信する決済情報送受信部と、
前記決済情報送受信部で受信した前記暗号化決済情報を、前記決済カード会社が保有または認定する決済実行装置へ送信する決済情報実行送信部とを備えることを特徴とする決済情報処理装置。
【請求項４】
店頭に設置され、利用者が所有する携帯端末に決済情報を格納するために使用される決済情報処理装置であって、
決済カード会社が利用者に発行した決済カードに記録された決済情報を読み取る決済情報読取部と、
前記決済情報読取部で読み取った前記決済情報を暗号化して暗号化決済情報を得る決済情報暗号化部と、
前記決済情報暗号化部で得た前記暗号化決済情報を前記携帯端末に送信するとともに、前記携帯端末から前記暗号化決済情報を受信する決済情報送受信部と、
前記決済情報送受信部で受信した前記暗号化決済情報を復号化して前記決済情報を得る決済情報復号化部と、
前記決済情報復号化部で得た前記決済情報を、前記決済カード会社が保有または認定する決済実行装置へ送信する決済情報実行送信部とを備えることを特徴とする決済情報処理装置。
【請求項５】
店頭に設置され、利用者が所有する携帯端末に決済情報を格納するために使用される決済情報処理装置であって、
決済カード会社の識別情報とその決済カード会社が用いる暗号化方式とを対応付けた設定情報を格納する設定情報格納部と、
決済カード会社が利用者に発行した決済カードに記録された決済情報を読み取る決済情報読取部と、
前記決済情報読取部で読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化部と、
前記決済情報暗号化部で得た前記暗号化決済情報を前記携帯端末に送信するとともに、前記携帯端末から前記暗号化決済情報を受信する決済情報送受信部と、
前記決済情報送受信部で受信した前記暗号化決済情報を、前記決済カード会社が保有または認定する決済実行装置へ送信する決済情報実行送信部とを備えることを特徴とする決済情報処理装置。
【請求項６】
店頭に設置され、利用者が所有する携帯端末に決済情報を格納するために使用される決済情報処理装置であって、
決済カード会社の識別情報とその決済カード会社が用いる暗号化方式とを対応付けた設定情報を格納する設定情報格納部と、
決済カード会社が利用者に発行した決済カードに記録された決済情報を読み取る決済情報読取部と、
前記決済情報読取部で読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化部と、
前記決済情報暗号化部で得た前記暗号化決済情報を前記携帯端末に送信するとともに、前記携帯端末から前記暗号化決済情報を受信する決済情報送受信部と、
前記決済情報送受信部で受信した前記暗号化決済情報から認識される前記決済カード会社の識別情報に対応する暗号化方式を前記設定情報に基づき特定し、当該特定した暗号化方式を用いて復号化し前記決済情報を得る決済情報復号化部と、
前記決済情報復号化部で得た前記決済情報を、前記決済カード会社が保有または認定する決済実行装置へ送信する決済情報実行送信部とを備えることを特徴とする決済情報処理装置。
【請求項７】
店頭に設置され、利用者が所有する携帯端末に決済情報を格納するために使用される決済情報処理装置における決済情報処理方法であって、
決済カード会社が利用者に発行した決済カードに記録された決済情報を読み取る決済情報読取ステップと、
前記決済情報読取ステップで読み取った前記決済情報を前記携帯端末に送信するとともに、前記携帯端末から前記決済情報を受信する決済情報送受信ステップと、
前記決済情報送受信ステップで受信した前記決済情報を、前記決済カード会社が保有または認定する決済実行装置へ送信する決済情報実行送信ステップとを含むことを特徴とする決済情報処理方法。
【請求項８】
店頭に設置され、利用者が所有する携帯端末に決済情報を格納するために使用される決済情報処理装置における決済情報処理方法であって、
決済カード会社が利用者に発行した決済カードに記録された決済情報を読み取る決済情報読取ステップと、
前記決済情報読取ステップで読み取った前記決済情報を暗号化して暗号化決済情報を得る決済情報暗号化ステップと、
前記決済情報暗号化ステップで得た前記暗号化決済情報を前記携帯端末に送信するとともに、前記携帯端末から前記暗号化決済情報を受信する決済情報送受信ステップと、
前記決済情報送受信ステップで受信した前記暗号化決済情報を、前記決済カード会社が保有または認定する決済実行装置へ送信する決済情報実行送信ステップとを含むことを特徴とする決済情報処理方法。
【請求項９】
店頭に設置され、利用者が所有する携帯端末に決済情報を格納するために使用される決済情報処理装置における決済情報処理方法であって、
決済カード会社が利用者に発行した決済カードに記録された決済情報を読み取る決済情報読取ステップと、
前記決済情報読取ステップで読み取った前記決済情報を暗号化して暗号化決済情報を得る決済情報暗号化ステップと、
前記決済情報暗号化ステップで得た前記暗号化決済情報を前記携帯端末に送信するとともに、前記携帯端末から前記暗号化決済情報を受信する決済情報送受信ステップと、
前記決済情報送受信ステップで受信した前記暗号化決済情報を復号化して前記決済情報を得る決済情報復号化ステップと、
前記決済情報復号化ステップで得た前記決済情報を、前記決済カード会社が保有または認定する決済実行装置へ送信する決済情報実行送信ステップとを含むことを特徴とする決済情報処理方法。
【請求項１０】
店頭に設置され、利用者が所有する携帯端末に決済情報を格納するために使用される決済情報処理装置における決済情報処理方法であって、
決済カード会社の識別情報とその決済カード会社が用いる暗号化方式とを対応付けた設定情報を格納する設定情報格納ステップと、
決済カード会社が利用者に発行した決済カードに記録された決済情報を読み取る決済情報読取ステップと、
前記決済情報読取ステップで読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化ステップと、
前記決済情報暗号化ステップで得た前記暗号化決済情報を前記携帯端末に送信するとともに、前記携帯端末から前記暗号化決済情報を受信する決済情報送受信ステップと、
前記決済情報送受信ステップで受信した前記暗号化決済情報を、前記決済カード会社が保有または認定する決済実行装置へ送信する決済情報実行送信ステップとを含むことを特徴とする決済情報処理方法。
【請求項１１】
店頭に設置され、利用者が所有する携帯端末に決済情報を格納するために使用される決済情報処理装置における決済情報処理方法であって、
決済カード会社の識別情報とその決済カード会社が用いる暗号化方式とを対応付けた設定情報を格納する設定情報格納ステップと、
決済カード会社が利用者に発行した決済カードに記録された決済情報を読み取る決済情報読取ステップと、
前記決済情報読取ステップで読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化ステップと、
前記決済情報暗号化ステップで得た前記暗号化決済情報を前記携帯端末に送信するとともに、前記携帯端末から前記暗号化決済情報を受信する決済情報送受信ステップと、
前記決済情報送受信ステップで受信した前記暗号化決済情報から認識される前記決済カード会社の識別情報に対応する暗号化方式を前記設定情報に基づき特定し、当該特定した暗号化方式を用いて復号化し前記決済情報を得る決済情報復号化ステップと、
前記決済情報復号化ステップで得た前記決済情報を、前記決済カード会社が保有または認定する決済実行装置へ送信する決済情報実行送信ステップとを含むことを特徴とする決済情報処理方法。
【請求項１２】
店頭に設置され、利用者が所有する携帯端末に決済情報を格納するために使用される決済情報処理装置に、
決済カード会社が利用者に発行した決済カードに記録された決済情報を読み取る決済情報読取手順と、
前記決済情報読取手順で読み取った前記決済情報を前記携帯端末に送信するとともに、前記携帯端末から前記決済情報を受信する決済情報送受信手順と、
前記決済情報送受信手順で受信した前記決済情報を、前記決済カード会社が保有または認定する決済実行装置へ送信する決済情報実行送信手順とを実行させるためのプログラム。
【請求項１３】
店頭に設置され、利用者が所有する携帯端末に決済情報を格納するために使用される決済情報処理装置に、
決済カード会社が利用者に発行した決済カードに記録された決済情報を読み取る決済情報読取手順と、
前記決済情報読取手順で読み取った前記決済情報を暗号化して暗号化決済情報を得る決済情報暗号化手順と、
前記決済情報暗号化手順で得た前記暗号化決済情報を前記携帯端末に送信するとともに、前記携帯端末から前記暗号化決済情報を受信する決済情報送受信手順と、
前記決済情報送受信手順で受信した前記暗号化決済情報を、前記決済カード会社が保有または認定する決済実行装置へ送信する決済情報実行送信手順とを実行させるためのプログラム。
【請求項１４】
店頭に設置され、利用者が所有する携帯端末に決済情報を格納するために使用される決済情報処理装置に、
決済カード会社が利用者に発行した決済カードに記録された決済情報を読み取る決済情報読取手順と、
前記決済情報読取手順で読み取った前記決済情報を暗号化して暗号化決済情報を得る決済情報暗号化手順と、
前記決済情報暗号化手順で得た前記暗号化決済情報を前記携帯端末に送信するとともに、前記携帯端末から前記暗号化決済情報を受信する決済情報送受信手順と、
前記決済情報送受信手順で受信した前記暗号化決済情報を復号化して前記決済情報を得る決済情報復号化手順と、
前記決済情報復号化手順で得た前記決済情報を、前記決済カード会社が保有または認定する決済実行装置へ送信する決済情報実行送信手順とを実行させるためのプログラム。
【請求項１５】
店頭に設置され、利用者が所有する携帯端末に決済情報を格納するために使用される決済情報処理装置に、
決済カード会社の識別情報とその決済カード会社が用いる暗号化方式とを対応付けた設定情報を格納する設定情報格納手順と、
決済カード会社が利用者に発行した決済カードに記録された決済情報を読み取る決済情報読取手順と、
前記決済情報読取手順で読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化手順と、
前記決済情報暗号化手順で得た前記暗号化決済情報を前記携帯端末に送信するとともに、前記携帯端末から前記暗号化決済情報を受信する決済情報送受信手順と、
前記決済情報送受信手順で受信した前記暗号化決済情報を、前記決済カード会社が保有または認定する決済実行装置へ送信する決済情報実行送信手順とを実行させるためのプログラム。
【請求項１６】
店頭に設置され、利用者が所有する携帯端末に決済情報を格納するために使用される決済情報処理装置に、
決済カード会社の識別情報とその決済カード会社が用いる暗号化方式とを対応付けた設定情報を格納する設定情報格納手順と、
決済カード会社が利用者に発行した決済カードに記録された決済情報を読み取る決済情報読取手順と、
前記決済情報読取手順で読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化手順と、
前記決済情報暗号化手順で得た前記暗号化決済情報を前記携帯端末に送信するとともに、前記携帯端末から前記暗号化決済情報を受信する決済情報送受信手順と、
前記決済情報送受信手順で受信した前記暗号化決済情報から認識される前記決済カード会社の識別情報に対応する暗号化方式を前記設定情報に基づき特定し、当該特定した暗号化方式を用いて復号化し前記決済情報を得る決済情報復号化手順と、
前記決済情報復号化手順で得た前記決済情報を、前記決済カード会社が保有または認定する決済実行装置へ送信する決済情報実行送信手順とを実行させるためのプログラム。
【発明の詳細な説明】
【０００１】
【発明の属する技術分野】
本発明は、携帯端末で決済を行う決済システム、決済情報処理装置、決済情報処理方法および決済情報処理プログラムに関し、特に店頭の決済情報処理装置で決済カードの情報（以下、「決済情報」）を読み取り暗号化して携帯端末に送信・格納し、携帯端末に格納された決済情報を店頭の決済情報処理装置に送信することで決済カードを使用せずに安全に決済を行う決済システム、および、この決済システムにおける決済情報処理装置、この装置における決済情報処理方法ならびにこの装置を機能させるための決済情報処理プログラムに関する。
【０００２】
【従来の技術】
従来の携帯端末による決済において、携帯端末に決済情報を格納する方法としては、携帯端末内部のＲＯＭにあらかじめ格納しておくものがあった（例えば、特許文献１）。また、携帯端末にあらかじめ決済情報を格納しておかない場合には、携帯端末から決済カード会社保有の決済センターにインターネット接続して決済情報を取得するもの（例えば、特許文献２、特許文献３）や、携帯端末に決済カードリーダを装着し、決済情報を読み取って携帯端末に格納するもの（例えば、特許文献３）があった。
【０００３】
【特許文献１】
特開２００２−９９８５８号公報（第３−４頁、第３図）
【特許文献２】
特開２００２−２６９４８５号公報（第３頁）
【特許文献３】
特開２００２−２７９３２０号公報（第３−４頁、第１−２図）
【０００４】
【発明が解決しようとする課題】
しかしながら、特許文献１のように決済情報をＲＯＭにあらかじめ格納しておくことにすると、携帯端末出荷時に決済情報を格納したＲＯＭを内蔵しておくか、交換可能なチップとして提供しなければならず、決済カードによる決済を携帯端末で実現しようとする決済カード会社にとっても、携帯端末で決済を行う利用者にとっても、煩雑な手続き、作業が必要となってしまうという問題点を有している。
【０００５】
また、特許文献２や特許文献３のように決済カード会社保有の決済センターに携帯端末からインターネット接続して決済情報を取得することにすると、クレジットカード番号などを見られる虞があり、そうなると他人が本人になりすまして決済が行われる危険性があるという問題点がある。
【０００６】
さらに、特許文献３のように、携帯端末にその利用者が所有する決済カードリーダを装着し、決済情報を読み取って携帯端末に格納することにすると、利用者が好きな場所、時間でクレジットカード情報を読み取る操作ができてしまうため、他人のクレジットカードからクレジット情報を読み取り携帯端末に格納することが行いやすくなるという問題点も生じる。
【０００７】
そこで本発明の目的は、決済カード会社にも利用者にも煩雑な手続き、作業を要求することなく、決済情報を本人のみが安全に携帯電話に格納することのできる決済システム、決済情報処理装置、決済情報処理方法および決済情報処理プログラムを提供することにある。
【０００８】
【課題を解決するための手段】
本発明の第１の決済システムは、店頭に設置される決済情報処理装置と、利用者が所有する携帯端末と、決済カード会社が保有または認定する決済実行装置とからなる決済システムであって、前記決済情報処理装置は、決済カード会社が利用者に発行した決済カードに記録されている決済情報を読み取る決済情報読取部と、前記決済情報読取部で読み取った前記決済情報を暗号化して暗号化決済情報を得る決済情報暗号化部と、前記決済情報暗号化部で得た前記暗号化決済情報を前記携帯端末に送信するとともに、前記携帯端末から前記暗号化決済情報を受信する第１の決済情報送受信部と、前記第１の決済情報送受信部で受信した前記暗号化決済情報を復号化して前記決済情報を得る決済情報復号化部と、前記決済情報復号化部で得た前記決済情報を前記決済実行装置へ送信する決済情報実行送信部とを備え、前記携帯端末は、前記暗号化決済情報を格納する決済情報格納部と、前記第１の決済情報送受信部で送信した前記暗号化決済情報を受信するとともに、前記決済情報格納部から前記暗号化決済情報を読み出して前記第１の決済情報送受信部に送信する第２の決済情報送受信部とを備えている。
【０００９】
本発明の第１の決済情報処理装置は、店頭に設置され、利用者が所有する携帯端末に決済情報を格納するために使用される決済情報処理装置であって、決済カード会社が利用者に発行した決済カードに記録された決済情報を読み取る決済情報読取部と、前記決済情報読取部で読み取った前記決済情報を前記携帯端末に送信するとともに、前記携帯端末から前記決済情報を受信する決済情報送受信部と、前記決済情報送受信部で受信した前記決済情報を、前記決済カード会社が保有または認定する決済実行装置へ送信する決済情報実行送信部とを備えている。
【００１０】
本発明の第２の決済情報処理装置は、店頭に設置され、利用者が所有する携帯端末に決済情報を格納するために使用される決済情報処理装置であって、決済カード会社が利用者に発行した決済カードに記録された決済情報を読み取る決済情報読取部と、前記決済情報読取部で読み取った前記決済情報を暗号化して暗号化決済情報を得る決済情報暗号化部と、前記決済情報暗号化部で得た前記暗号化決済情報を前記携帯端末に送信するとともに、前記携帯端末から前記暗号化決済情報を受信する決済情報送受信部と、前記決済情報送受信部で受信した前記暗号化決済情報を、前記決済カード会社が保有または認定する決済実行装置へ送信する決済情報実行送信部とを備えている。
【００１１】
本発明の第３の決済情報処理装置は、店頭に設置され、利用者が所有する携帯端末に決済情報を格納するために使用される決済情報処理装置であって、決済カード会社が利用者に発行した決済カードに記録された決済情報を読み取る決済情報読取部と、前記決済情報読取部で読み取った前記決済情報を暗号化して暗号化決済情報を得る決済情報暗号化部と、前記決済情報暗号化部で得た前記暗号化決済情報を前記携帯端末に送信するとともに、前記携帯端末から前記暗号化決済情報を受信する決済情報送受信部と、前記決済情報送受信部で受信した前記暗号化決済情報を復号化して前記決済情報を得る決済情報復号化部と、前記決済情報復号化部で得た前記決済情報を、前記決済カード会社が保有または認定する決済実行装置へ送信する決済情報実行送信部とを備えている。
【００１２】
本発明の第４の決済情報処理装置は、店頭に設置され、利用者が所有する携帯端末に決済情報を格納するために使用される決済情報処理装置であって、決済カード会社の識別情報とその決済カード会社が用いる暗号化方式とを対応付けた設定情報を格納する設定情報格納部と、決済カード会社が利用者に発行した決済カードに記録された決済情報を読み取る決済情報読取部と、前記決済情報読取部で読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化部と、前記決済情報暗号化部で得た前記暗号化決済情報を前記携帯端末に送信するとともに、前記携帯端末から前記暗号化決済情報を受信する決済情報送受信部と、前記決済情報送受信部で受信した前記暗号化決済情報を、前記決済カード会社が保有または認定する決済実行装置へ送信する決済情報実行送信部とを備えている。
【００１３】
本発明の第５の決済情報処理装置は、店頭に設置され、利用者が所有する携帯端末に決済情報を格納するために使用される決済情報処理装置であって、決済カード会社の識別情報とその決済カード会社が用いる暗号化方式とを対応付けた設定情報を格納する設定情報格納部と、決済カード会社が利用者に発行した決済カードに記録された決済情報を読み取る決済情報読取部と、前記決済情報読取部で読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化部と、前記決済情報暗号化部で得た前記暗号化決済情報を前記携帯端末に送信するとともに、前記携帯端末から前記暗号化決済情報を受信する決済情報送受信部と、前記決済情報送受信部で受信した前記暗号化決済情報から認識される前記決済カード会社の識別情報に対応する暗号化方式を前記設定情報に基づき特定し、当該特定した暗号化方式を用いて復号化し前記決済情報を得る決済情報復号化部と、前記決済情報復号化部で得た前記決済情報を、前記決済カード会社が保有または認定する決済実行装置へ送信する決済情報実行送信部とを備えている。
【００１４】
本発明の第１の決済情報処理方法は、店頭に設置され、利用者が所有する携帯端末に決済情報を格納するために使用される決済情報処理装置における決済情報処理方法であって、決済カード会社が利用者に発行した決済カードに記録された決済情報を読み取る決済情報読取ステップと、前記決済情報読取ステップで読み取った前記決済情報を前記携帯端末に送信するとともに、前記携帯端末から前記決済情報を受信する決済情報送受信ステップと、前記決済情報送受信ステップで受信した前記決済情報を、前記決済カード会社が保有または認定する決済実行装置へ送信する決済情報実行送信ステップとを含んでいる。
【００１５】
本発明の第２の決済情報処理方法は、店頭に設置され、利用者が所有する携帯端末に決済情報を格納するために使用される決済情報処理装置における決済情報処理方法であって、決済カード会社が利用者に発行した決済カードに記録された決済情報を読み取る決済情報読取ステップと、前記決済情報読取ステップで読み取った前記決済情報を暗号化して暗号化決済情報を得る決済情報暗号化ステップと、前記決済情報暗号化ステップで得た前記暗号化決済情報を前記携帯端末に送信するとともに、前記携帯端末から前記暗号化決済情報を受信する決済情報送受信ステップと、前記決済情報送受信ステップで受信した前記暗号化決済情報を、前記決済カード会社が保有または認定する決済実行装置へ送信する決済情報実行送信ステップとを含んでいる。
【００１６】
本発明の第３の決済情報処理方法は、店頭に設置され、利用者が所有する携帯端末に決済情報を格納するために使用される決済情報処理装置における決済情報処理方法であって、決済カード会社が利用者に発行した決済カードに記録された決済情報を読み取る決済情報読取ステップと、前記決済情報読取ステップで読み取った前記決済情報を暗号化して暗号化決済情報を得る決済情報暗号化ステップと、前記決済情報暗号化ステップで得た前記暗号化決済情報を前記携帯端末に送信するとともに、前記携帯端末から前記暗号化決済情報を受信する決済情報送受信ステップと、前記決済情報送受信ステップで受信した前記暗号化決済情報を復号化して前記決済情報を得る決済情報復号化ステップと、前記決済情報復号化ステップで得た前記決済情報を、前記決済カード会社が保有または認定する決済実行装置へ送信する決済情報実行送信ステップとを含んでいる。
【００１７】
本発明の第４の決済情報処理方法は、店頭に設置され、利用者が所有する携帯端末に決済情報を格納するために使用される決済情報処理装置における決済情報処理方法であって、決済カード会社の識別情報とその決済カード会社が用いる暗号化方式とを対応付けた設定情報を格納する設定情報格納ステップと、決済カード会社が利用者に発行した決済カードに記録された決済情報を読み取る決済情報読取ステップと、前記決済情報読取ステップで読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化ステップと、前記決済情報暗号化ステップで得た前記暗号化決済情報を前記携帯端末に送信するとともに、前記携帯端末から前記暗号化決済情報を受信する決済情報送受信ステップと、前記決済情報送受信ステップで受信した前記暗号化決済情報を、前記決済カード会社が保有または認定する決済実行装置へ送信する決済情報実行送信ステップとを含んでいる。
【００１８】
本発明の第５の決済情報処理方法は、店頭に設置され、利用者が所有する携帯端末に決済情報を格納するために使用される決済情報処理装置における決済情報処理方法であって、決済カード会社の識別情報とその決済カード会社が用いる暗号化方式とを対応付けた設定情報を格納する設定情報格納ステップと、決済カード会社が利用者に発行した決済カードに記録された決済情報を読み取る決済情報読取ステップと、前記決済情報読取ステップで読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化ステップと、前記決済情報暗号化ステップで得た前記暗号化決済情報を前記携帯端末に送信するとともに、前記携帯端末から前記暗号化決済情報を受信する決済情報送受信ステップと、前記決済情報送受信ステップで受信した前記暗号化決済情報から認識される前記決済カード会社の識別情報に対応する暗号化方式を前記設定情報に基づき特定し、当該特定した暗号化方式を用いて復号化し前記決済情報を得る決済情報復号化ステップと、前記決済情報復号化ステップで得た前記決済情報を、前記決済カード会社が保有または認定する決済実行装置へ送信する決済情報実行送信ステップとを含んでいる。
【００１９】
本発明の第１の決済情報処理プログラムは、店頭に設置され、利用者が所有する携帯端末に決済情報を格納するために使用される決済情報処理装置に、決済カード会社が利用者に発行した決済カードに記録された決済情報を読み取る決済情報読取手順と、前記決済情報読取手順で読み取った前記決済情報を前記携帯端末に送信するとともに、前記携帯端末から前記決済情報を受信する決済情報送受信手順と、前記決済情報送受信手順で受信した前記決済情報を、前記決済カード会社が保有または認定する決済実行装置へ送信する決済情報実行送信手順とを実行させるためのものである。
【００２０】
本発明の第２の決済情報処理プログラムは、店頭に設置され、利用者が所有する携帯端末に決済情報を格納するために使用される決済情報処理装置に、決済カード会社が利用者に発行した決済カードに記録された決済情報を読み取る決済情報読取手順と、前記決済情報読取手順で読み取った前記決済情報を暗号化して暗号化決済情報を得る決済情報暗号化手順と、前記決済情報暗号化手順で得た前記暗号化決済情報を前記携帯端末に送信するとともに、前記携帯端末から前記暗号化決済情報を受信する決済情報送受信手順と、前記決済情報送受信手順で受信した前記暗号化決済情報を、前記決済カード会社が保有または認定する決済実行装置へ送信する決済情報実行送信手順とを実行させるためのものである。
【００２１】
本発明の第３の決済情報処理プログラムは、店頭に設置され、利用者が所有する携帯端末に決済情報を格納するために使用される決済情報処理装置に、決済カード会社が利用者に発行した決済カードに記録された決済情報を読み取る決済情報読取手順と、前記決済情報読取手順で読み取った前記決済情報を暗号化して暗号化決済情報を得る決済情報暗号化手順と、前記決済情報暗号化手順で得た前記暗号化決済情報を前記携帯端末に送信するとともに、前記携帯端末から前記暗号化決済情報を受信する決済情報送受信手順と、前記決済情報送受信手順で受信した前記暗号化決済情報を復号化して前記決済情報を得る決済情報復号化手順と、前記決済情報復号化手順で得た前記決済情報を、前記決済カード会社が保有または認定する決済実行装置へ送信する決済情報実行送信手順とを実行させるためのものである。
【００２２】
本発明の第４の決済情報処理プログラムは、店頭に設置され、利用者が所有する携帯端末に決済情報を格納するために使用される決済情報処理装置に、決済カード会社の識別情報とその決済カード会社が用いる暗号化方式とを対応付けた設定情報を格納する設定情報格納手順と、決済カード会社が利用者に発行した決済カードに記録された決済情報を読み取る決済情報読取手順と、前記決済情報読取手順で読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化手順と、前記決済情報暗号化手順で得た前記暗号化決済情報を前記携帯端末に送信するとともに、前記携帯端末から前記暗号化決済情報を受信する決済情報送受信手順と、前記決済情報送受信手順で受信した前記暗号化決済情報を、前記決済カード会社が保有または認定する決済実行装置へ送信する決済情報実行送信手順とを実行させるためのものである。
【００２３】
本発明の第５の決済情報処理プログラムは、店頭に設置され、利用者が所有する携帯端末に決済情報を格納するために使用される決済情報処理装置に、決済カード会社の識別情報とその決済カード会社が用いる暗号化方式とを対応付けた設定情報を格納する設定情報格納手順と、決済カード会社が利用者に発行した決済カードに記録された決済情報を読み取る決済情報読取手順と、前記決済情報読取手順で読み取った前記決済情報に含まれる前記決済カード会社の識別情報に対応する暗号化方式を前記設定情報に基づき特定し、当該特定した暗号化方式を用いて暗号化し暗号化決済情報を得る決済情報暗号化手順と、前記決済情報暗号化手順で得た前記暗号化決済情報を前記携帯端末に送信するとともに、前記携帯端末から前記暗号化決済情報を受信する決済情報送受信手順と、前記決済情報送受信手順で受信した前記暗号化決済情報から認識される前記決済カード会社の識別情報に対応する暗号化方式を前記設定情報に基づき特定し、当該特定した暗号化方式を用いて復号化し前記決済情報を得る決済情報復号化手順と、前記決済情報復号化手順で得た前記決済情報を、前記決済カード会社が保有または認定する決済実行装置へ送信する決済情報実行送信手順とを実行させるためのものである。
【００２４】
【発明の実施の形態】
次に、本発明の第１の実施の形態について図面を参照して説明する。
【００２５】
図１を参照すると、本発明の第１の実施の形態における決済システムは、決済情報処理装置１００と、携帯端末２００と、決済実行装置４００とから構成される。
【００２６】
決済情報処理装置１００は、店頭に設置される決済情報を処理する装置である。決済情報処理装置１００は、決済情報読取部１０１と、決済情報暗号化部１０２と、決済情報送受信部１０３と、決済情報復号化部１０４と、決済情報実行送信部１０５とを含む。なお、これらの各処理部は、決済情報処理装置１００の図示しないＣＰＵが、図示しない記憶装置に記憶されたプログラムを読み出して実行することにより実現される。また、そのプログラムは、図示しない記録媒体から読み出してもよいし、図示しないインターネット等のコンピュータネットワークを介してダウンロードしてもよい。
【００２７】
決済情報読取部１０１は、利用者の決済カード３００に格納されている決済情報を読み取る。決済カード３００は、既存のクレジットカード、デビットカード、プリペイドカードなどを対象とする。例えば、クレジットカードは、クレジットカード会社が利用者に発行し、磁気ストライプやＩＣチップに決済情報が記録されている。決済情報には、カード番号、有効期限などが含まれるがこれに限定しない。決済情報読取部１０１は、決済カード３００から決済情報を読み取るために例えば磁気カードリーダ、ＩＣチップリーダなどを備えるがこれに限定しない。利用者または利用者から決済カード３００を受け取った店員が、決済情報読取部１０１に決済カード３００を通したり、挿入したり、近づけることで、格納されている決済情報を読み取る。
【００２８】
決済情報暗号化部１０２は、決済情報読取部１０１で読み取った決済情報を暗号化する。暗号化方式としては、共通鍵暗号など既存の暗号化方式を用いればよい。決済カード会社が指定する暗号化方式を用いてもよい。
【００２９】
決済情報送受信部１０３は、携帯端末２００との間で、暗号化された決済情報を送受信する。送受信の手段としては例えば有線、そして赤外線、Ｂｌｕｅｔｏｏｔｈ、無線ＬＡＮなどの近距離無線通信、ＰＤＣ、ＣＤＭＡなどの広域無線通信を利用することが考えられるが、これに限定しない。決済情報を携帯端末に格納するときには、決済情報送受信部１０３は決済情報暗号化部１０２で暗号化された決済情報を携帯端末２００に送信する。決済を行うときには携帯端末２００から暗号化された決済情報を受信する。
【００３０】
決済情報復号化部１０４は、携帯端末２００から受信した暗号化された決済情報を復号化する。決済情報復号化部１０４は、決済カード会社が指定する暗号化方式を用いてもよいし、決済実行装置４００が暗号化したまま決済情報を受け付ける場合は、復号化しないことにしてもよい。
【００３１】
決済情報実行送信部１０５は、決済情報復号化部１０４から得た決済情報を決済実行装置４００に送信する。送信は有線または無線で行えばよい。
【００３２】
携帯端末２００は、利用者の保有する携帯電話、ＰＤＡ、ＩＣカードなどを対象とする。携帯端末２００は、決済情報送受信部２０１と、決済情報格納部２０２とを含む。なお、これらの各処理部は、携帯端末２００の図示しないＣＰＵが、携帯端末２００の図示しないメモリに格納されたプログラムを読み出して実行することにより実現される。また、そのプログラムは、図示しない記録媒体から読み出してもよいし、図示しないインターネット等のコンピュータネットワークを介してダウンロードしてもよい。なお、これ以外にも携帯端末２００は例えば携帯電話の場合、アンテナ、バッテリ、キーボード、表示装置、スピーカ、マイクなど携帯電話として機能するのに必要な部品を含むが、本発明の主題ではないので記載は省略する。
【００３３】
決済情報送受信部２０１は、決済情報処理装置１００との間で、暗号化された決済情報を有線、または無線で送受信する。無線通信方式としては例えば赤外線、Ｂｌｕｅｔｏｏｔｈ、無線ＬＡＮなどの近距離無線通信、ＰＤＣ、ＣＤＭＡなどの広域無線通信を利用することが考えられ、各通信方式に対応した送受信装置を備えるが、これに限定しない。決済情報を携帯端末２００に格納するときには、決済情報処理装置１００から暗号化された決済情報を受信する。決済を行うときには、決済情報処理装置１００に決済情報格納部２０２に格納されている暗号化された決済情報を送信する。
【００３４】
決済情報格納部２０２は、暗号化された決済情報を格納する。決済情報格納部２０２は、例えばメモリとして実装されるがこれに限定しない。
【００３５】
決済実行装置４００は、決済情報を用いて決済を行う決済カード会社が保有または認定した装置である。決済情報処理装置１００から決済情報を受信し決済を行う。決済実行装置４００は、例えば店頭に設置する決済情報を受け付ける端末と、その端末と電話などの公衆回線や専用線で接続され決済カード会社または認定された団体に設置する決済情報から信用調査を行い、支払いを行う装置とからなるものが考えられるがこれに限定しない。決済実行装置４００としては、既存の装置を利用すればよい。
【００３６】
次に、本発明の第１の実施の形態の動作について説明する。
【００３７】
決済情報を携帯端末に格納する動作は図２を参照して説明する。
【００３８】
まず、決済情報読取部１０１は、決済カードに格納されている決済情報を読み取る（Ｓ１００）。決済カードは既存のクレジットカード、デビットカード、プリペイドカードなどを対象とする。例えばクレジットカードの場合、クレジットカード会社が発行するもので、磁気ストライプやＩＣチップに決済情報が格納されている。決済情報にはカード番号、有効期限などが含まれるがこれに限定しない。例えば、利用者または利用者から決済カードを受け取った店員が、店頭に設置される決済情報処理装置に決済カードを通したり挿入したり、近づけることで、決済カードに格納されている決済情報を読み取る。
【００３９】
次に、決済情報暗号化部１０２は、読み取った決済情報を暗号化する（Ｓ１０１）。暗号化方式としては、共通鍵暗号など既存の暗号化方式を用いればよい。決済カード会社が指定する暗号化方式を用いてもよい。
【００４０】
次に、決済情報送受信部１０３は、暗号化した決済情報を利用者の保有する携帯端末に有線または無線で送信する（Ｓ１０２）。無線通信方式としては例えば赤外線、Ｂｌｕｅｔｏｏｔｈ、無線ＬＡＮなどの近距離無線通信、ＰＤＣ、ＣＤＭＡなどの広域無線通信を利用することが考えられるが、これに限定しない。
【００４１】
次に、決済情報送受信部２０１は、決済情報送受信部１０３から暗号化された決済情報を受信する（Ｓ２００）。
【００４２】
最後に、決済情報送受信部２０２は、受信した暗号化された決済情報を格納する（Ｓ２０１）。
【００４３】
決済を行う動作を図３を参照して説明する。
【００４４】
まず、決済情報送受信部２０１は、決済情報格納部２０２に格納されている暗号化された決済情報を取り出し、決済情報送受信部１０３に有線または無線で送信する（Ｓ２５０）。無線通信方式としては例えば赤外線、Ｂｌｕｅｔｏｏｔｈ、無線ＬＡＮなどの近距離無線通信、ＰＤＣ、ＣＤＭＡなどの広域無線通信を利用することが考えられるが、これに限定しない。
【００４５】
次に、決済情報送受信部１０３は、決済情報送受信部２０１から暗号化された決済情報を受信する（Ｓ１５０）。
【００４６】
次に、決済情報復号化部１０４は、受信した暗号化された決済情報を復号化する（Ｓ１５１）。ただし、決済カード会社が指定した暗号化方式で復号化するか、または、決済カード会社が保有または認定した決済実行装置が暗号化されたまま決済情報を受け付ける場合には、復号化しないで処理する。
【００４７】
最後に、決済情報実行送信部１０５は、復号化した決済情報を決済実行装置４００に送信する（Ｓ１５２）。
【００４８】
以上により、本発明の第１の実施の形態の動作が終了する。
【００４９】
本発明の第１の実施の形態は、店頭に設置する決済情報処理装置で決済情報を読み取り、携帯端末に送信・格納するようにしたことにより、決済カード会社にも利用者にも煩雑な手続き、作業を要求することなく、決済情報を本人のみが安全に携帯電話に格納することができるという効果を有している。なお、本実施の形態において、暗号化は必ず何らかの暗号化方式を用いて行うこととしているが、場合によっては、暗号化を行わないようにしてもよい。
【００５０】
次に、本発明の第２の実施の形態について図面を参照して説明する。
【００５１】
図４を参照すると、本発明の第２の実施の形態における決済システムは、上記第１の実施の形態における決済システムと同様、決済情報処理装置１００と、携帯端末２００と、決済実行装置４００とから構成される。
【００５２】
本発明の第２の実施の形態では、決済情報処理装置１００が、上記第１の実施の形態における構成に加え、設定情報格納部１０６を備えている。設定情報格納部１０６に格納される情報の一例を図５に示す。この設定情報は、決済情報処理装置１００が複数の決済カード会社に共通のものとして店頭に設置される場合に、各決済カード会社の暗号化、復号化の設定を行い記憶しておくものである。
【００５３】
次に、本発明の第２の実施の形態の動作について説明する。
【００５４】
本発明の第２の実施の形態では、決済情報読み取り（Ｓ１００）、決済情報送信（Ｓ１０２）、決済情報受信（Ｓ２００）、決済情報格納（Ｓ２０１）、決済情報送信（Ｓ２５０）、決済情報受信（Ｓ１５０）、および、決済情報実行送信（Ｓ１５２）における処理は、上記第１の実施の形態と同様であるが、決済情報暗号化（Ｓ１０１）および決済情報復号化（Ｓ１５１）における処理が、上記第１の実施の形態と異なる。
【００５５】
決済情報暗号化（Ｓ１０１）において、決済情報暗号化部１０２は、決済情報読取部１０１が読み取った決済情報に含まれる決済カード会社の識別情報をキーとして設定情報格納部１０６を検索し、その決済カード会社が指定する暗号化方式を取得する。そして、決済情報暗号化部１０２は、決済情報のうち決済カード会社の識別情報を除く部分についてはこの暗号化方式を用いて暗号化を行う。また、決済カード会社の識別情報については、暗号化しないか、または、この装置を使用する複数の決済カード会社に共通の暗号化方式を用いて暗号化する。最後に、これらの情報をあわせて暗号化された決済情報（暗号化決済情報）とする。
【００５６】
また、決済情報復号化（Ｓ１５１）において、決済情報復号化部１０４は、決済情報送受信部１０３が受信した暗号化決済情報から決済カード会社の識別情報を認識する。暗号化決済情報には、決済カード会社の識別情報が暗号化されることなく、または、この装置を使用する複数の決済カード会社に共通の暗号化方式を用いて暗号化されて含まれているので、決済カード会社の識別情報を判断することが可能である。そして、決済情報復号化部１０４は、決済カード会社の識別情報をキーとして設定情報格納部１０６を検索し、その決済カード会社が指定する暗号化方式、または、復号化を行わないとの情報を取得し、その情報に従って処理を行う。
【００５７】
以上により、本発明の第２の実施の形態の動作が終了する。
【００５８】
本発明の第２の実施の形態は、店頭に設置する決済情報処理装置で決済情報を読み取り、携帯端末に送信・格納するようにしたことにより、決済カード会社にも利用者にも煩雑な手続き、作業を要求することなく、決済情報を本人のみが安全に携帯電話に格納することができるという効果を有するとともに、１つの決済情報処理装置を複数の決済カード会社が共通に使用しやすくしたことにより、各決済カード会社の経済的な負担を軽減することができるという効果も有している。なお、本実施の形態において、暗号化は必ず何らかの暗号化方式を用いて行うこととしているが、場合によっては、暗号化を行わないようにしてもよい。また、本実施の形態においても、１つの決済情報処理装置を１つの決済カード会社が使用することにしてもよい。
【００５９】
【発明の効果】
本発明には、決済カード会社にも利用者にも煩雑な手続き、作業を要求することなく、決済情報を本人のみが安全に携帯電話に格納することができるという効果がある。
【図面の簡単な説明】
【図１】本発明の第１の実施の形態の構成を示すブロック図である。
【図２】本発明の決済情報格納時の動作を示す流れ図である。
【図３】本発明の決済時の動作を示す流れ図である。
【図４】本発明の第２の実施の形態の構成を示すブロック図である。
【図５】本発明の第２の実施の形態における設定情報の一例を示す図である。
【符号の説明】
１００  決済情報処理装置
１０１  決済情報読取部
１０２  決済情報暗号化部
１０３  決済情報送受信部
１０４  決済情報復号化部
１０５  決済情報実行送信部
２００  携帯端末
２０１  決済情報送受信部
２０２  決済情報格納部
３００  決済カード
４００  決済実行装置
Ｓ１００  決済情報読み取り
Ｓ１０１  決済情報暗号化
Ｓ１０２  決済情報送信
Ｓ２００  決済情報受信
Ｓ２０１  決済情報格納
Ｓ２５０  決済情報送信
Ｓ１５０  決済情報受信
Ｓ１５１  決済情報復号化
Ｓ１５２  決済情報実行送信
【図１】
2004199405.tif 000003
【図２】
2004199405.tif 000004
【図３】
2004199405.tif 000005
【図４】
2004199405.tif 000006
【図５】
2004199405.tif 000007